(57)【要約】【課題】センサを回動させるための保持構造が小さく、天井面への取り付けが容易で、天井面との間にも隙間を生じないセンサ付きの照明器具を提供する。【解決手段】本発明の照明器具１は、天井面Ｃの引掛型配線器具Ｒに掛着される接続器１０の下面中央に略円筒状の軸部１４を形成し、この軸部１４に、ランプソケット４０と結合したセンサ保持具２０を取着して水平面内で回動可能にする。センサ３０は、センサ保持具２０のアーム２２の先端に下向きに取着される。後付けされる本体カバー５０とセード６０は、ランプソケット４０に取着されたホルダナット７０に支持されて、本体カバー５０が天井面Ｃに密着する。【選択図】図２
2004127768.tif 000002
【特許請求の範囲】
【請求項１】
天井面に設けられた引掛型配線器具に掛着可能な引掛栓刃を上面に有し、下面中央には下向きに突出する略円筒状の軸部が形成された接続器と、
前記接続器の軸部に取着されて側方にアームを張り出し、前記軸部を中心として天井面と略平行な面内で回動しうるように支持されたセンサ保持具と、
前記センサ保持具のアームの先端近傍に、検知部を略下向きにして取り付けられたセンサと、
前記センサ保持具の下側に結合された略円筒状のランプソケットと、
前記センサ保持具の下側に装着されて前記引掛型配線器具、接続器及びセンサ保持具を被覆する本体カバーと、
前記本体カバーの下側に装着されるセードと、
前記ランプソケットの外周面に取着されてセード及び本体カバーを支持するとともに本体カバーを天井面に密着させるホルダナットと、
前記ランプソケットに螺着されるランプと、
を備えた照明器具。
【請求項２】
接続器の軸部の外周面に雄ネジが形成される一方、センサ保持具の軸芯には前記雄ネジに対応する雌ネジを備えた軸孔が形成され、これら軸部と軸孔の螺合によってセンサ保持具が接続器に取着されたことを特徴とする請求項１に記載の照明器具。
【請求項３】
本体カバーには、ランプソケットを挿通させうる取付孔と、センサの検知部を露出させうる窓孔とが形成されるとともに、センサ保持具の下部には、前記本体カバーの取付孔の縁部に掛止しうる引掛爪が形成されたことを特徴とする請求項１に記載の照明器具。
【請求項４】
センサ保持具には、回動位置に応じて接続器に干渉する２箇所の回り止めが設けられ、センサ保持具の回動範囲が９０度以上１８０度未満の範囲に拘束されたことを特徴とする請求項１に記載の照明器具。
【請求項５】
センサ保持具のアームは先端近傍が斜め上向きに折曲され、この折曲部分にセンサが取り付けられるとともに、
前記センサは、前記アームの折曲部分に対する法線方向の軸芯を中心として一定の角度範囲内で回動しうるように形成されたことを特徴とする請求項１に記載の照明器具。
【発明の詳細な説明】
【０００１】
【発明の属する技術分野】
本発明は、センサを備えた天井取付タイプの照明器具に関し、特にセンサの検知範囲を可変とした照明器具に関する。
【０００２】
【従来の技術】
従来より、人感センサや明るさセンサを用いて光源を自動的に点灯・消灯するように構成された照明器具が知られている。この種のセンサ付き照明器具は、例えば住宅分野においては、玄関やトイレ、廊下等に広く利用されている。さらに、この種のセンサ付き照明器具には、設置される空間の形態や人の出入方向などに応じて、センサの検知範囲を調整可能にしたものもある（例えば、特許文献１参照。）。
【０００３】
特許文献１に開示された照明器具の要部を図７〜図９に示す。この照明器具９は、予め天井面Ｃに設置された引掛型配線器具Ｒを利用して取り付けられる天井取付タイプの白熱灯照明器具で、引掛型配線器具Ｒに掛着されて電気的に接続される接続器９１、接続器９１の下部に結合された円筒状のランプソケット９２、ランプソケット９２に螺着されるランプ９３、接続器９１に挿装されて接続器９１を被覆する器具本体９４、器具本体９４の下側に掛着される略円筒状のセード９５、等によって構成されている。
【０００４】
接続器９１は、上面が開口した円筒状のボディ９１１と、ボディ９１１の上面を塞ぐ円板状のカバー９１２とを結合して構成されており、カバー９１２の上面には一対の引掛栓刃９１３が突出するとともに、ボディ９１１の上端周縁部には略全周にわたって鍔状片９１４が突設されている。
【０００５】
器具本体９４は、略円形の取付ベース９４１と、取付ベース９４１の側部から突出して一体成形された縦長の回路収納部９４２とからなり、回路収納部９４２の下端にセンサ９４３が取り付けられている。取付ベース９４１の中央には、接続器９１のボディ９１１が回動自在に保持される円筒状の取付筒９４４が形成されており、取付筒９４４内に接続器９１のボディ９１１が上方から挿入されて、接続器９１の鍔状片９１４が取付筒９４４の上端縁に当接することにより位置決めされる。そして、器具本体９４の上面に、薄板状の金属板からなる取付板９６がビス止めされる。この取付板９６には、接続器９１のカバー９１２が嵌合される嵌合孔９６１が形成されており、この嵌合孔９６１の周部と取付筒９４４の上端縁との間に接続器９１の鍔状片９１４が挟み込まれて、取付ベース９４１と接続器９１とが互いに回動自在に保持される。
【０００６】
すなわち、この照明器具９は、接続器９１及び器具本体９４を天井面Ｃの引掛型配線器具Ｒに取り付けた後でも、接続器９１のボディ９１１を回動軸として器具本体９４を天井面Ｃに平行な面内で回動させることができるので、特別な部材を別途に用意せずとも、器具本体９４の向きを変えてセンサ９４３の検知範囲を調整することができるものとなっている。
【０００７】
【特許文献１】
特開２００１−１２６５２７号公報　（第３−９頁、図１−１０）
【０００８】
【発明が解決しようとする課題】
前記従来の照明器具９は、引掛型配線器具Ｒに掛着される接続器９１の外周縁部に鍔状片９１４を形成して、この鍔状片９１４を、器具本体９４の取付筒９４４の上端縁と、取付板９６の嵌合孔９６１の周部との間に挟み込んで保持している。そのため、接続器９１と器具本体９４とを回動自在に保持する部分の構造が、引掛型配線器具Ｒの大きさに比べてひと回り以上大きくならざるを得ず、その結果、器具全体が大型化することを避けられない。
【０００９】
また、接続器９１と器具本体９４とが取付板９６を介して予め一体に結合され、これら全体を一緒に持ち上げて引掛型配線器具Ｒに取り付けることになるので、取り付けに際して作業者が引掛型接続器９１具の掛着面を視認しにくく、接続器９１の引掛栓刃９１３を掛着するのに苦労する。さらに、器具本体９４、接続器９１及び取付板９６が一体化された状態では上面がほぼ平坦になるので、これをそのまま引掛型配線器具Ｒに掛着すると、天井面Ｃと照明器具９との間に、引掛型配線器具Ｒの突出寸法（高さ）に相当する隙間が形成される。玄関やトイレのような狭い空間には、通常、小型の照明器具が取り付けられるので、予め天井に配設される引掛型配線器具Ｒは角形引掛シーリングであることが多い。角形引掛シーリングは、天井埋込型の引掛ローゼット等に比べて天井面Ｃからの突出寸法が大きい（約２０ｍｍ）ので、それだけの隙間が天井面Ｃと照明器具９との間に形成されると、照明器具９の取付状態が見苦しくなってしまう。
【００１０】
また、前記照明器具９は、引掛型配線器具Ｒに掛着された接続器９１に対して、器具本体９４が３６０度、自由に回動しうる構造となっている。しかし、引掛型配線器具Ｒに掛着される接続器９１と、器具本体９４の回路収納部９４２に収納される各種の回路やスイッチ要素とは、接続コード（図示せず）によって有線接続されなければならない。接続器９１と器具本体９４を有線接続したままの状態で、接続器９１に対する器具本体９４の回動を無制限に許容すると、接続コードに引っ張りや捻りなどの過大な負担が加わって、断線などの故障や電気的事故を招くおそれがある。そこで、前記照明器具９にあっては、かかる不都合を避けるために、接続器９１と器具本体９４との間に接続コードを着脱しうるコネクタ９４５を介在させて、器具本体９４の取り付けやセンサ９４３の位置調整に際して、その都度、コネクタ９４５を外すように推奨している。しかし、このような対応は実用面からみて不便であり、また、コネクタ９４５を設ける分だけ構造も複雑化して製品コストが上昇する。
【００１１】
本発明は、これらの問題点を解消するためになされたもので、センサの位置を回動させるための保持構造が小さく、引掛型配線器具への掛着が容易で、天井面との間にも隙間を生じないように取り付けることのできる照明器具を提供することを解決課題とする。
【００１２】
さらに本発明は、かかる照明器具においてセンサの回動範囲を制限することにより、コネクタの着脱に依存せずとも、接続コードに過大な力学的負担が加わるのを防止することを解決課題とする。
【００１３】
【課題を解決するための手段】
前記課題を解決するため、本発明の照明器具の構成は、天井面に設けられた引掛型配線器具に掛着可能な引掛栓刃を上面に有し、下面中央には下向きに突出する略円筒状の軸部が形成された接続器と、前記接続器の軸部に取着されて側方にアームを張り出し、前記軸部を中心として天井面と平行な面内で回動しうるように支持されたセンサ保持具と、前記センサ保持具のアームの先端近傍に、検知部を略下向きにして取り付けられたセンサと、前記センサ保持具の下側に結合された略円筒状のランプソケットと、前記センサ保持具の下側に装着されて前記引掛型配線器具、接続器及びセンサ保持具を被覆する本体カバーと、前記本体カバーの下側に装着されるセードと、前記ランプソケットの外周面に取着されてセード及び本体カバーを支持するとともに本体カバーを天井面に密着させるホルダナットと、前記ランプソケットに螺着されるランプと、を備えることを特徴とする。
【００１４】
この発明によれば、センサを保持するセンサ保持具が、接続器の下面中央に突出形成された軸部に取着されるので、両者の回動を保持するための機械的な連結構造がきわめてコンパクトになる。かかる保持構造は、接続器の軸部の外周面に雄ネジを形成する一方、センサ保持具の軸芯には前記雄ネジに対応する雌ネジを備えた軸孔を形成し、これら軸部と軸孔とを螺合させることによって、合理的かつ経済的に構成することができる。
【００１５】
さらに、本発明は、前記本体カバーには、ランプソケットを挿通させうる取付孔と、センサの検知部を露出させうる窓孔とが形成されるとともに、センサ保持具の下部には、前記本体カバーの取付孔の縁部に掛止しうる引掛爪が形成されたことを特徴とする。
【００１６】
この発明によれば、予め一体に結合された接続器、センサ保持具、センサ及びランプソケットを一緒にして引掛型配線器具に掛着した後、これらとは別体に形成された本体カバー及びセードを後付けすることができる。したがって、接続器を引掛型配線器具に掛着する作業に際して引掛型配線器具の掛着面を視認しやすく、作業が容易になるとともに、作業の安全性も向上する。
【００１７】
また、本体カバーを後付け可能とすることで、本体カバーの形状を、接続器やセンサ保持具とともに引掛型配線器具まで被覆しうるものとすることができる。したがって、本体カバーを天井面に密着させることが可能になり、これによって美観に優れた取付状態が得られる。
【００１８】
さらに、本発明は、前記センサ保持具には、回動位置に応じて接続器に干渉する２箇所の回り止めが設けられ、センサ保持具の回動範囲が９０度以上１８０度未満の範囲に拘束されたことを特徴とする。
【００１９】
この発明は、天井面に対して固定される接続器と、接続器に対して回動するセンサ保持具とが無制限に回動しないように構成されたものである。これにより、接続器とセンサ保持具との間に配線される接続コードに、引っ張りや捻りなどの過大な力学的負担が加わるのを防止することができる。センサ自体は、通常、５０〜８０度くらいの検知範囲を有しており、また、接続器は引掛型配線器具に対して１８０度、向きを反転させて掛着することができる。したがって、センサ保持具の回動拘束範囲は１８０度以上である必要はなく、実用的には９０度程度で十分であり、この場合でも、照明器具のほぼ全周方向に近い検知範囲を確保することができる。
【００２０】
さらに、本発明は、前記センサ保持具のアームは先端近傍が斜め上向きに折曲され、この折曲部分にセンサが取り付けられるとともに、前記センサは、前記アームの折曲部分に対する法線方向の軸芯を中心として一定の角度範囲内で回動しうるように形成されたことを特徴とする。
【００２１】
この発明は、センサの検知範囲をさらに微調整することができるように、センサ自体を回動自在に形成し、その回動軸をセンサ保持具の回動軸に対して傾斜させたものである。この場合でも、センサの検知方向の中心をセンサ自体の回動軸に対して傾斜させれば、センサをほぼ鉛直下向きにもすることができる。そして、前記鉛直下向きの位置を中心に、左右適宜の角度範囲内でセンサを回動させることにより、空間の利用実態に応じた、よりきめ細かな検知範囲の調整が可能になる。
【００２２】
【発明の実施の形態】
図１〜図２は本発明の実施の形態にかかる照明器具の全体的な構成を示しており、図３〜図４は、同照明器具の要部をそれぞれ上面及び図２中のＸ−Ｘ’断面位置から見て示している。なお、各図において符号Ａで示す鎖線は、この照明器具１の中心軸である。
【００２３】
この照明器具１は、天井面Ｃに設けられた引掛型配線器具Ｒ（この例では角形引掛シーリング）に接続される接続器１０と、接続器１０に対して回動自在に取着されたセンサ保持具２０と、センサ２０保持具に取り付けられたセンサ３０と、センサ保持具２０の下側に結合された略円筒状のランプソケット４０と、引掛型配線器具Ｒ、接続器１０及びセンサ保持具２０を被覆する本体カバー５０と、本体カバー５０の下側に装着されるセード６０と、セード６０及び本体カバー５０をランプソケット４０に取着するためのホルダナット７０と、ランプソケット４０に螺着されるランプ８０と、を備えている。
【００２４】
接続器１０は、角形引掛シーリングと同程度の大きさの箱状部品で、引掛型配線器具Ｒの引掛コンセントに掛着可能な一対の引掛栓刃１１と、掛着後の脱落を防止するロック爪１２を上面に有し、一方の側面にはロック爪１２を引き下げる解除レバー１３を備えている。また、接続器１０の下面中央には、下向きに突出する略円筒状の軸部１４が形成され、この軸部１４の外周面には雄ネジが形成されている。
【００２５】
センサ保持具２０は金属製薄板からなる部品で、上板２１の下側に、一対の連結脚２４を有する下板２５をネジ固定して形成されている。上板２１は、側方に張り出したアーム２２を有し、このアーム２２の先端近傍は斜め上向き（この例では水平面に対する仰角α＝約４５度）に折曲されて、この折曲部分にセンサ３０が取り付けられている。上板２１の基部の中心には雌ネジを有する軸孔２３が形成され、この軸孔２３が接続器１０の軸部１４に螺合している。これにより、センサ保持具２０は、接続器１０の軸部１４を中心として天井面Ｃと略平行な面内で回動しうるように支持される。なお、接続器１０の軸部１４には、薄いバネ鋼板からなる波形座金１５が挿装され、この波形座金１５が接続器１０の下面と上板２１との間に挟み込まれて、センサ保持具２０の回動に対し適当なトルクを与えている。
【００２６】
センサ保持具２０の下板２５は、ランプソケット４０と略同径の円形で、その中心には円形の配線孔２６が形成されている。下板２５は、連結脚２４を介して、接続器１０の軸部１４から離隔するように取り付けられている。連結脚２４は、図３，図４に示すように、中心軸Ａに対して非対称の位置に設けられており、それぞれ下板２５の外縁部から上向きに延出して、その上端部が外向きに折曲されている。また、下板２５には、相対する２箇所の引掛爪２７も形成されている。各引掛爪２７は、下板２５の外縁部から上向きに立ち上がり、さらに外側に張り出して、側面視略Ｌ字形に形成されている。
【００２７】
この実施の形態においては、連結脚２４の上端部を上板２１に取着する２本の固定ネジ２８が、それぞれ上板２１を貫通して、先端を接続器１０の側方まで及ばせている。そのため、各固定ネジ２８の先端は接続器１０の側面に干渉して回り止めとなり、接続器１０に対するセンサ保持具２０の回動が、図３に示すように、中心角約９０度の範囲内に拘束されることとなる。ただし、接続器１０は引掛型配線器具Ｒに対して１８０度、向きを反転させて掛着することができるため、実用上は図５に示すように、相対する２箇所の扇形範囲Ｚ１，Ｚ２内でセンサ３０の位置を調整することが可能になる。
【００２８】
換言すれば、この実施の形態では、連結脚２４の固定ネジ２８を回り止めとして利用するために、必要とされる回動範囲から接続器１０と固定ネジ２８との干渉位置を割り出して、連結脚２４を図３に示すような非対称配置としている。ただし、回り止めは固定ネジ２８とは別個に設けることも可能である。その場合は、例えば連結脚２４を対称配置とし、固定ネジ２８の先端は接続器１０に干渉しない長さにして、回り止めとなる適宜の爪片やネジ類等を上板２１の上面２箇所に突出させればよい。
【００２９】
ランプソケット４０は、上面がセンサ保持具２０の下板２５に固着されている。ランプソケット４０の下端面には、ランプ８０の口金を螺着しうるランプ取付部４１が開口している。また、ランプソケット４０の外周面には、ホルダナット７０を螺着しうる雄ネジ４２が形成されている。
【００３０】
センサ３０は、センサ保持具２０におけるアーム２２の折曲部分に固着された回路収納部３１と、回路収納部３１に対して回動自在に取着された検知部３２とを備えている。回路収納部３１には、ランプ８０を点灯・消灯させるための各種制御回路やスイッチ要素を装した回路基板（図示せず）が収納されている。回路収納部３１の背面側には４本の接続コード３３が接続され、これらの接続コード３３は、センサ保持具２０のアーム２２に形成された配線案内孔２９を経由して、上板２１と下板２５の間から、電源側の２本は接続器１０の軸部１４内へ、ランプ８０側の２本はランプソケット４０内へ、それぞれ配線されている。本発明では、前記したように、接続器１０に対するセンサ保持具２０の回動が一定の角度範囲内に拘束されるため、これらの接続コード３３に引っ張りや捻りなどの過大な力学的負担が加わるのを最小限に抑えることができる。
【００３１】
検知部３２は、略半円球状の外形を有し、その一部に椀状のレンズ３４が取り付けられている。検知部３２には、周囲の明るさを検知する明るさセンサと、人の存在を検知する熱線人感センサとが内蔵されている。これらのセンサは、回路収納部３１に設けられたスイッチ３５によって作動条件が手動設定される。図示した２箇所のスイッチ３５のうち一方は動作モード切替スイッチで、例えば（ａ）センサによる調光待機モード、（ｂ）タイマーによる自動消灯モード、（ｃ）センサを作動させない壁面スイッチ直結モード、のいずれかを選択できるようになっている。また、他方のスイッチ３５は人感センサ作動時の明るさを設定する点灯照度設定スイッチで、例えば（ａ）６０ルクスで感知点灯、（ｂ）２０ルクスで感知点灯、（ｃ）明るさに影響されないテスト点灯、のいずれかを選択できるようになっている。
【００３２】
センサ３０の検知部３２は、アーム２２の折曲部分に対する法線方向の軸芯Ｂを中心として、アーム２２の折曲部分と平行な傾斜面内を一定の角度範囲内で回動する（図６参照）。図２に示すように、この軸芯Ｂは、照明器具１の中心軸Ａに対して、アーム２２の折曲部分の仰角αと同じ角度だけ外方に傾斜している。さらに、この軸芯Ｂに対して、レンズ３４の軸線方向は適宜の傾斜角β（この例ではβ＝約４５度）だけ傾斜している。したがって、レンズ３４の軸線方向は、図２に示すような下向きの位置から、水平外向きに近い位置までの範囲で変化させることができる。加えて、レンズ３４自体には、適宜の検知範囲角γ（この例ではγ＝約５０度）が設定されている。このように、照明器具１の中心軸Ａに対して検知部３２の回動軸（軸芯Ｂ）を傾斜させ、さらに検知部３２の回動軸に対してレンズ３４の軸線方向を傾斜させることにより、センサ３０の検知可能範囲は十分な拡がりを持つ。したがって、接続器１０に対するセンサ保持具２０の回動が一定の範囲内に拘束されていても、実用的には、ほぼ全周方向の検知が可能となる。なお、前記した３種類の角度（α，β，γ）は、実用性を損なわない範囲で適宜、変更可能である。
【００３３】
本体カバー５０は、底面視略円形の主部５１と、主部５１の側方に迫り出した底面視略矩形の迫出部５２とを備え、主部５１が引掛型配線器具Ｒ、接続器１０、及びセンサ保持具２０の中心側部分を被覆するとともに、迫出部５２がセンサ保持具２０のアーム２２を被覆するように形成されている。主部５１及び迫出部５２の上端面は、天井面Ｃに密着しうるように、同一平面をなしている。主部５１の底面には、セード６０の上端部を位置決めするために、浅い円筒状のセード受部５３が形成され、その内側には、ランプソケット４０を挿通させうる取付孔５４が形成されている。また、迫出部５２には、センサ３０の検知部３２を露出させうる窓孔５５が形成されている。
【００３４】
主部５１の取付孔５４は、ランプソケット４０の外径に対して大きめに形成されるとともに、その縁部２箇所が内側に張り出している。そして、図１中に矢符Ｐで示したように、本体カバー５０を下方からランプソケット４０及びセンサ保持具２０に被せ、水平方向に少しずらすと、図４に示すように、取付孔５４の縁部の一部がセンサ保持具２０の下板２５から張り出した引掛爪２７上に掛止されて、本体カバー５０が仮止めされるようになっている。
【００３５】
セード６０は、上端面及び下端面が開口した略回転体形状の部品で、上端部には、本体カバー５０のセード受部５３内に係合しうる段部６１が設けられ、この段部６１には内側に張り出す平坦な張出縁部６２が形成されて、その内側にランプソケット４０が挿通される。セード６０の上端部以外の部分、つまり側面形状や表面加工等は、意匠的効果や照明効果に即して設計される。
【００３６】
ホルダナット７０は、ランプソケット４０の外周面に形成された雄ネジに螺着しうる雌ネジ部７１と、雌ネジ部７１の上端面から外側に張り出すフランジ７２とを備えている。そして、図２に示すように、本体カバー５０のセード受部５３にセード６０の段部６１を係合させた状態で、下方からランプソケット４０にホルダナット７０を螺着すると、フランジ７２がセード６０の張出縁部６２を上向きに押圧し、本体カバー５０及びセード６０を下方から支持して、本体カバー５０の上端面を天井面Ｃに密着させる。
【００３７】
このように、本発明の構成によれば、予め一体に結合した接続器１０、センサ保持具２０、センサ３０及びランプソケット４０を一緒にして引掛型配線器具Ｒに掛着した後、本体カバー５０及びセード６０を後付けすることができる。したがって、接続器１０を引掛型配線器具Ｒに掛着する作業に際して引掛型配線器具Ｒの掛着面を視認しやすく、作業が容易になる。
【００３８】
また、後付け可能な本体カバー５０は、接続器１０やセンサ保持具２０とともに引掛型配線器具Ｒをも被覆しうる形状に形成することができる。そして、この本体カバー５０が、ランプソケット４０に取着されるホルダナット７０の支持によって天井面Ｃに密着するので、天井面Ｃと照明器具１との間には見苦しい隙間が形成されず、美観に優れた取付状態が得られる。
【００３９】
また、本発明の構成では、セード６０の上端部（段部６１及び張出縁部６２）が単純な回転体形状でよく、この部分に掛止爪や孔部、ネジ部等の複雑な構造を設ける必要がない。したがって、照明器具１としての外観的印象を大きく左右するセード６０を、プラスチックだけでなく、ガラス、金属、陶磁器、木質材など多様な素材によって安価に製造することが可能になる。一方、セード６０の上端部以外の部分については、花びら形など、様々な非回転体形状に形成することも妨げられない。
【００４０】
【発明の効果】
本発明の照明器具は、センサ保持具が接続器の下面中央に突出形成された軸部に取着されるので、センサ保持具の回動を保持するための機械的な連結構造がコンパクトになり、器具全体の小型軽量化が容易になる。
【００４１】
また、本発明の照明器具は、予め一体に結合した接続器、センサ保持具、センサ及びランプソケットを一緒にして引掛型配線器具に掛着した後、本体カバー及びセードを後付けすることができるので、接続器を引掛型配線器具に掛着する作業に際して引掛型配線器具の掛着面が視認しやすくなり、作業が容易になるとともに、作業の安全性も向上する。
【００４２】
また、本発明の照明器具は、本体カバーが後付け可能となることで、本体カバーの形状を、接続器やセンサ保持具とともに引掛型配線器具まで被覆しうるものとすることができる。したがって、本体カバーを天井面に密着させることが可能になり、これによって美観に優れた取付状態が得られる。
【００４３】
さらに、本発明の照明器具において、センサ保持具に回り止めを設け、接続器に対するセンサ保持具の回動を一定の範囲内に拘束すると、接続器とセンサ保持具との間に配線される接続コードに、引っ張りや捻りなどの過大な力学的負担が加わるのを防止することができる。同時に、接続コードを常時接続した状態にしておけるので、接続コードを着脱するためのコネクタ類も不要になる。そして、この場合でも、実用的には十分なセンサの検知範囲を確保することができる。
【００４４】
さらに、本発明の照明器具において、センサ自体を回動自在に形成し、その回動軸をセンサ保持具の回動軸に対して傾斜させることにより、さらにきめ細かな検知範囲の調整が可能になる。
【図面の簡単な説明】
【図１】本発明の実施の形態にかかる照明器具の全体的な構成を示す分解斜視図である。
【図２】前記照明器具の縦方向部分断面図である。
【図３】前記照明器具の上面図である。
【図４】図２に示す照明器具のＸ−Ｘ’断面図である。
【図５】前記照明器具におけるセンサ保持具の回動可能範囲を示す説明図である。
【図６】前記照明器具におけるセンサの検知部の回動状態を示す説明図である。
【図７】従来の技術にかかる照明器具の概略構造を示す縦方向部分断面図である。
【図８】図８に示した照明器具の要部分解斜視図である。
【図９】図８に示した照明器具の上面図である。
【符号の説明】
１　　　照明器具
１０　　接続器
１１　　引掛栓刃
１４　　軸部
２０　　センサ保持具
２２　　アーム
２３　　軸孔
２７　　引掛爪
２８　　固定ネジ（回り止め）
３０　　センサ
３２　　検知部
４０　　ランプソケット
５０　　本体カバー
５４　　取付孔
５５　　窓孔
６０　　セード
７０　　ホルダナット
８０　　ランプ
Ｃ　　　天井面
Ｒ　　　引掛型配線器具
【図１】
2004127768.tif 000003
【図２】
2004127768.tif 000004
【図３】
2004127768.tif 000005
【図４】
2004127768.tif 000006
【図５】
2004127768.tif 000007
【図６】
2004127768.tif 000008
【図７】
2004127768.tif 000009
【図８】
2004127768.tif 000010
【図９】
2004127768.tif 000011